(57)【要約】【課題】シャント部、血液透析、点滴、輸血や献血等の治療部位を外部の圧迫、刺激等から保護すると同時に、治療部位の触診も可能にした治療部位保護器具を提供する。【解決手段】前腕２等の治療部位を載置する載置台２０と、該載置台２０に着脱自在に設けた透明又は半透明な半筒状カバー体１０とからなり、前記半筒状カバー体１０の側面に開口窓１１を設けたことを特徴とする。【選択図】図１
2009011623.tif 000002
【特許請求の範囲】
【請求項１】
前腕等の治療部位を載置する載置台と、該載置台に着脱自在に設けた透明又は半透明な半筒状カバー体とからなる治療部位保護器具であって、前記半筒状カバー体の側面に開口窓を設けたことを特徴とする治療部位保護器具。
【請求項２】
前記半筒状カバー体の側面に対向する一対の開口窓を設けた請求項１に記載の治療部位保護器具。
【請求項３】
前記半筒状カバー体の両側縁にフランジを形成し、前記載置台の上面両側縁に前記フランジを嵌め入れる嵌入部を形成した請求項１又は２に記載の治療部位保護器具。
【請求項４】
前記半筒状カバー体が弾性又は可撓性を有する合成樹脂からなり、前記フランジと嵌入部が弾性係合するようにした請求項３に記載の治療部位保護器具。
【請求項５】
前記半筒状カバー体の上部を平面に形成し、曲げ部を介して側面を延設した請求項１乃至４の何れかに記載の治療部位保護器具。
【請求項６】
前記載置台を固定する固定部材を備えた請求項１乃至５の何れかに記載の治療部位保護器具。
【請求項７】
前記固定部材が、前記載置台又は／及び半筒状カバー体の両側縁に切欠部を設け、この切欠部を通って前記載置台の周囲に巻き回した固定用ベルトからなる請求項６に記載の治療部位保護器具。
【請求項８】
前記載置台の上面に不織布を敷設した請求項１乃至７の何れかに記載の治療部位保護器具。
【発明の詳細な説明】
【技術分野】
【０００１】
本発明は、シャント閉塞等を予防するために治療部位を保護する治療部位保護器具に関する。
【背景技術】
【０００２】
血液透析では、体外循環に必要な血液量（２００〜３００ｍｌ／分）を確保するために、通常は内シャントと呼ばれる手術を行っている。内シャントとは、一般に前腕において動脈と静脈を皮下で結合（動静脈吻合）させて、静脈にたくさんの血液が流れるように造設したものである。内シャント手術後に、シャント部に外部から余分な圧迫、刺激等が加わると、シャント閉塞を起こすことがあり、血液透析に必要な血液量を確保できなくなる恐れがある。
【０００３】
従来、血液透析時の抜針事故を防止する保護具として、弾性又は可撓性を有する略平板状の下敷マットと、この下敷マットに着脱自在に被せる断面略円弧状の透明又は半透明な保護カバーとからなり、保護カバーを下敷マットに弾支状態で装着可能とした抜針防止用腕保護具が知られている（例えば、特許文献１参照）。
【０００４】
【特許文献１】特開２００２−１７２１６４号公報
【発明の開示】
【発明が解決しようとする課題】
【０００５】
特許文献１に記載の抜針防止用腕保護具は、保護カバーによってシャント部を外部の圧迫、刺激等から保護することも可能であるが、治療部位が完全に保護カバーで被われているために、治療部位に聴診器を当てたり触手したりしてシャント手術後の経過等を診るには、保護カバーを下敷マットから取り外す必要があり、煩雑であるという課題があった。  
【０００６】
また、この保護カバーは、弾性又は可撓性を有する下敷マットに外側から弾支状態で装着可能としているから、着脱するときに保護カバーを外に向けて開く必要があり、片手で簡単に着脱することができないという課題もあった。このため、治療部位を下敷マットに載せた状態で保護カバーの着脱を行うと、誤ってシャント部に圧迫、刺激等を加える恐れもあった。
【０００７】
そこで、本発明は、シャント部、血液透析、点滴、輸血や献血等の治療部位を外部の圧迫、刺激等から保護すると同時に、治療部位の触診も可能にした治療部位保護器具を提供するものである。
【課題を解決するための手段】
【０００８】
本発明は、上記課題を解決するために、前腕等の治療部位を載置する載置台と、該載置台に着脱自在に設けた透明又は半透明な半筒状カバー体とからなる治療部位保護器具であって、前記半筒状カバー体の側面に開口窓を設けたことを特徴とする治療部位保護器具を提供するものである。
【０００９】
また、本発明の治療部位保護器具は、前記半筒状カバー体の側面に対向する一対の開口窓を設けてある。
【００１０】
また、本発明の治療部位保護器具は、前記半筒状カバー体の両側縁にフランジを形成し、前記載置台の上面両側縁に前記フランジを嵌め入れる嵌入部を形成してある。
【００１１】
また、本発明の治療部位保護器具は、前記半筒状カバー体が弾性又は可撓性を有する合成樹脂からなり、前記フランジと嵌入部が弾性係合するようにしてある。
【００１２】
また、本発明の治療部位保護器具は、前記半筒状カバー体の上部を平面に形成し、曲げ部を介して側面を延設してある。
【００１３】
また、本発明の治療部位保護器具は、前記載置台を固定する固定部材を備えたものである。
【００１４】
また、本発明の治療部位保護器具は、前記固定部材が、前記載置台又は／及び半筒状カバー体の両側縁に切欠部を設け、この切欠部を通って前記載置台の周囲に巻き回した固定用ベルトからなる。
【００１５】
また、本発明の治療部位保護器具は、前記載置台の上面に不織布を敷設してある。
【発明の効果】
【００１６】
本発明の治療部位保護器具は、前腕等の治療部位を載置する載置台と、該載置台に着脱自在に設けた透明又は半透明な半筒状カバー体とからなる治療部位保護器具であって、前記半筒状カバー体の側面に開口窓を設けたことを特徴とする構成を有することにより、シャント部、血液透析、点滴、輸血や献血等の治療部位を半筒状カバー体で外部の圧迫、刺激等から保護して安全に治療又は処置することができると共に、半筒状カバー体を載置台に装着した状態で開口窓から触手又は聴診器によって診察することができる効果がある。
【００１７】
また、本発明の治療部位保護器具は、前記半筒状カバー体の側面に対向する一対の開口窓を設けたことにより、一対の開口窓から両手で診察又は処置することができる。また、一つの開口窓を小さくできるから、患者が不用意に治療部位に触れるのを防止することができる効果がある。
【００１８】
また、本発明の治療部位保護器具は、前記半筒状カバー体の両側縁にフランジを形成し、前記載置台の上面両側縁に前記フランジを嵌め入れる嵌入部を形成したことにより、載置台に半筒状カバー体を確実に装着することができる効果がある。
【００１９】
また、本発明の治療部位保護器具は、前記半筒状カバー体が弾性又は可撓性を有する合成樹脂からなり、前記フランジと嵌入部が弾性係合するようにしたことにより、半筒状カバー体の両側面部を内側に向かって押圧することによってフランジと嵌入部の係合を外すことができるから、ワンタッチで半筒状カバー体を載置台から取り外すことができる効果がある。
【００２０】
また、本発明の治療部位保護器具は、前記半筒状カバー体の上部を平面に形成し、曲げ部を介して側面を延設したことにより、治療又は処置に使用する脱脂綿などを半筒状カバー体の上部に仮置きすることができる。また、半筒状カバー体は曲げ部を支点にして側面が弾性変形して載置台に容易に着脱することができる効果がある。
【００２１】
また、本発明の治療部位保護器具は、前記載置台を固定する固定部材を備えたことにより、載置台をベッド又は処置台などに固定することができる効果がある。
【００２２】
また、本発明の治療部位保護器具は、前記固定部材が、前記載置台又は／及び半筒状カバー体の両側縁に切欠部を設け、この切欠部を通って前記載置台の周囲に巻き回した固定用ベルトからなることにより、固定用ベルトで載置台をベッドのアーム等に固定することができると共に、載置台を固定した状態で半筒状カバー体の着脱をすることができる効果がある。
【００２３】
また、本発明の治療部位保護器具は、前記載置台の上面に不織布を敷設してあることにより、患者に不快感を与えないと共に、治療部位を清潔に保つことができる効果がある。
【発明を実施するための最良の形態】
【００２４】
本発明の実施の形態を図示する実施例に基づいて説明する。
本発明に係る治療部位保護器具１は、前腕２等の治療部位を載置する載置台２０と、該載置台２０に着脱自在に設けた透明又は半透明な半筒状カバー体１０とからなり、前記半筒状カバー体１０の側面に開口窓１１を設けたことを特徴とする。
【実施例１】
【００２５】
図１乃至図８に示す実施例において、治療部位保護器具１は、患者の前腕に被せて治療部位を保護する保護器具であり、シャント手術、血液透析、点滴、輸血や献血等において治療部位を外部の圧迫、刺激等から保護するようにしてある。
【００２６】
半筒状カバー体１０は、弾性又は可撓性を有する合成樹脂からなり、上部を平面に形成し、曲げ部１３を介して側面を延設してある。図１に示す実施例において、半筒状カバー体１０は、厚さ１．０ｍｍの透明なポリ塩化ビニル板材を曲げ部１３において加熱曲げ加工して、断面略台形状に形成してある。また、半筒状カバー体１０の両側縁には、外側に突出したフランジ１２を形成してあると共に、中央部に切欠部１４を設けてある。
【００２７】
半筒状カバー体１０の側面には、対向する位置に一対の開口窓１１，１１を設けてある。開口窓１１は、指による触診や聴診器による診察のために必要充分な大きさに開口してある。半筒状カバー体１０は、治療部位を視認できるように透明であることが好ましいが、半透明な合成樹脂で形成することも可能である。また、半筒状カバー体１０には、弾性又は可撓性を有する素材として、アクリルなどの他の合成樹脂を用いることもできる。
【００２８】
なお、半筒状カバー体１０は、図示の形状に限定されるものではなく、治療部位の形状に応じて、半円筒状など種々の形状に形成することも可能である。
【００２９】
図１に示す実施例において、載置台２０は、ポリ塩化ビニル、アクリル等の合成樹脂性の板材からなり、上面両側縁にはフランジ１２を嵌め入れる嵌入部２１を形成してある。図８に示すように、対向する嵌入部２１の間隔は、半筒状カバー体１０の両側縁の間隔より狭くしてあり、フランジ１２と嵌入部２１が弾性係合して半筒状カバー体１０を載置台２０に装着することができるように構成してある。また、図６に示すように、嵌入部２１の少なくとも一端にストッパー部２２を形成してあり、フランジ１２が嵌入部２１から外れるのを防止している。
【００３０】
図１に示すように、載置台２０の両側縁の中央部には、切欠部２３を設けてある。図中の２４は固定用ベルトであり、半筒状カバー体１０の切欠部１４と載置台２０の切欠部２３により形成された隙間を通って、載置台２０の周囲に巻き回すことができるようにしてある。固定用ベルト２４の一端には係止具を設けてあり、図２に示すように、固定用ベルト２４をベッドのアーム５等に巻き付けて治療部位保護器具１を固定することができるように構成してある。なお、固定用ベルト２４は１本に限らず、切欠部１４，２３を長手方向に離れた２箇所に設けて、２本の固定用ベルト２４で固定する構成にすることも可能である。
【００３１】
図７及び図８に示すように、載置台２０は、上面に不織布２６を敷設してあることが好ましい。不織布２６は、面ファスナー２７，２８で載置台２０に着脱可能に固定してある。不織布２６は、前腕２に載置台２０や固定用ベルト２４が直接触れて患者に不快感を与えるのを防止できると共に、不織布２６を交換することにより治療部位を清潔に保つことができる。
【００３２】
図２に示すように、治療部位保護器具１は、患者の前腕２を半筒状カバー体１０で被ってシャント部３などの治療部位を外部の圧迫、刺激等から保護することができる。図中の４は血液透析用の血液循環パイプであり、血液循環パイプ４は半筒状カバー体１０の内側を通して前方端又は後方端から引き出すことができる。治療中は、開口窓１１から触診や聴診器による診察を行うことができ、必要であれば、半筒状カバー体１０の両側面を押圧してフランジ１２と嵌入部２１の係合を外し、上方に持ち上げることにより半筒状カバー体１０を簡単且つ迅速に取り外すことができる。半筒状カバー体１０は、断面を略台形状に形成してあるから、片手で両側面を把持して押圧することにより、曲げ部１３，１３を中心に夫々の側面を内側に容易に変形させて、ワンタッチで取り外すことができる。
【図面の簡単な説明】
【００３３】
【図１】本発明の治療部位保護器具の一実施例を示す斜視図。
【図２】その一実施例の使用状態を示す斜視図。
【図３】本発明の治療部位保護器具の一実施例を示す正面図。
【図４】本発明の治療部位保護器具の一実施例を示す右側面図。
【図５】本発明の治療部位保護器具の一実施例を示す平面図。
【図６】本発明の治療部位保護器具の一実施例を示すＡ−Ａ線断面図。
【図７】本発明の治療部位保護器具の一実施例を示すＢ−Ｂ線断面図。
【図８】その一実施例の半筒状カバー体を取り外した状態を示すＢ−Ｂ線断面図。
【符号の説明】
【００３４】
１  治療部位保護器具
２  前腕
３  シャント部
４  血液循環パイプ
５  アーム
１０  半筒状カバー体
１１  開口窓
１２  フランジ
１３  曲げ部
１４  切欠部
２０  載置台
２１  嵌入部
２２  ストッパー部
２３  切欠部
２４  固定用ベルト
２５  係止具
２６  不織布
２７，２８  面ファスナー
【図１】
2009011623.tif 000003
【図２】
2009011623.tif 000004
【図３】
2009011623.tif 000005
【図４】
2009011623.tif 000006
【図５】
2009011623.tif 000007
【図６】
2009011623.tif 000008
【図７】
2009011623.tif 000009
【図８】
2009011623.tif 000010